(57)【要約】【課題】日用消耗品の取り替え時期通知方法を提供する。【解決手段】ｉ）特定のＵＲＬを有するサーバーが、消費者から情報端末機器を介して送信される、購入した日用消耗品についての使用開始年月日及び消費者のＵＲＬを含む送信情報を、消費者からのアクセス時に、自動的に記録する工程と、ｉｉ）  前記サーバーが、記録された送信情報に基づいて、夫々の日用消耗品の有効期限を自動的に算出してその取り替え時期を求め、夫々の日用消耗品の取り替え時期を含む消費者一人一人についての消費者情報を自動的に作成し、自動的に登録する工程と、ｉｉｉ）前記サーバーが、記録された消費者情報に基づいて、情報端末機器を介して、消費者一人一人に夫々の日用消耗品に関して通知すべき所定の年月日に、日用消耗品の取り替え時期を含むサービス情報を自動的に配信する工程、とからなる日用消耗品の取り替え時期通知方法。【選択図】  図１
2004164403.tif 000002
【特許請求の範囲】
【請求項１】
消費者一人一人により購入された日用消耗品であって、インターネットに接続可能な情報端末機器を介して、特定のユーアールエル（ＵＲＬ）を有するインターネット上のサーバーに登録された１種類以上１商品以上１個以上の日用消耗品の夫々の取り替え時期を含むサービス情報を、前記情報端末機器を介して、前記サーバーが、前記消費者一人一人に夫々の前記日用消耗品に関して通知すべき所定の年月日に自動的に通知することを特徴とする日用消耗品の取り替え時期通知方法。
【請求項２】
消費者一人一人により購入された日用消耗品であって、インターネットに接続可能な情報端末機器を介して、特定のユーアールエル（ＵＲＬ）を有するインターネット上のサーバーに登録された１種類以上１商品以上１個以上の日用消耗品の夫々の取り替え時期を含むサービス情報を、前記情報端末機器を介して、前記サーバーが、前記消費者一人一人に夫々の前記日用消耗品に関して通知すべき所定の年月日に自動的に通知する方法であって、
ｉ）前記サーバーが、前記消費者から前記情報端末機器を介して送信される、購入した前記日用消耗品についての使用開始年月日及び消費者のユーアールエルを含む送信情報を、前記消費者からのアクセス時に、自動的に記録する工程と、
ｉｉ）  前記サーバーが、記録された前記送信情報に基づいて、夫々の前記日用消耗品の有効期限を自動的に算出してその取り替え時期を求め、夫々の前記日用消耗品の取り替え時期を含む消費者一人一人についての消費者情報を自動的に作成し、自動的に登録する工程と、
ｉｉｉ）前記サーバーが、記録された前記消費者情報に基づいて、前記情報端末機器を介して、前記消費者一人一人に夫々の前記日用消耗品に関して通知すべき所定の年月日に、前記日用消耗品の取り替え時期を含むサービス情報を自動的に配信する工程、
とからなることを特徴とする日用消耗品の取り替え時期通知方法。
【請求項３】
前記日用消耗品の種類が、防虫剤、殺虫剤、消臭剤又は除湿剤であることを特徴とする請求項１又は２記載の日用消耗品の取り替え時期通知方法。
【請求項４】
前記情報端末機器が携帯電話又はパーソナルコンピュータであることを特徴とする請求項１又は２記載の日用消耗品の取り替え時期通知方法。
【発明の詳細な説明】
【０００１】
【発明の属する技術分野】
本発明は日用消耗品、例えば防虫剤、殺虫剤、消臭剤又は除湿剤の取り替え時期通知方法、更に詳しくは、消費者一人一人が購入し、使用し始めた又は使用する予定の夫々の日用消耗品（特定種類の特定商品）の取り替え時期を、予め消費者一人一人が登録したインターネット上のサーバーの情報に基づいて、前記サーバーが消費者一人一人に、夫々の日用消耗品に対応する所定の年月日に自動的に通知する方法に関するものである。
【０００２】
【従来の技術】
消費者が日々の生活で使用し又は活用し、その結果、徐々に消耗するか又は活性を失う（保証された有効期限を過ぎる）、いわゆる日用消耗品には多くの種類がある。これらの日用消耗品を有効に使用するか又は活用するためには、その取り替え時期を厳密に管理する必要がある。
【０００３】
最近のパーソナルコンピュータやインターネットの普及に伴い、インターネットを使用して消費者（顧客）が購入した商品（消耗品）に関し、その消耗品の交換時期をインターネットを介して消費者に通知する、消耗品の交換時期通知システム及びその方法が提案されている（例えば、特許文献１参照）。
【０００４】
【特許文献１】。
特開２００２−１０９３０４号公報（請求項１及び請求項４、図１）
【０００５】
日用消耗品の中でも、例えば、防虫剤、殺虫剤、消臭剤、除湿剤等の種類の日用消耗品は、購入したその商品に関し、保証された有効期限内に交換しないと、その効果（防虫効果、殺虫効果、脱臭効果及び除湿効果）を有効に持続させることができない。
以下、説明の便宜上、前記日用消耗品の種類が防虫剤である場合を例として説明する。
【０００６】
衣類を収納したタンスや衣装ケース等に入れて衣類の虫よけのために用いる防虫剤は、使用を開始した後に防虫効果が持続する期間が各防虫剤商品ごとに決まっているので、夫々の防虫剤商品に応じてその取り替え時期を厳密に管理しないと、衣類に対する夫々の防虫剤商品の有効な防虫効果を持続させることができない。
【０００７】
使用を開始した後の防虫剤商品の外観などから、この防虫剤商品の防虫効果を正確に把握することは困難なので、防虫剤商品の期限管理（防虫効果の有効性の確認）を行う手段として、従来は例えば、適当なインジケーターによる方法が用いられている。前記インジケーターとしては、例えば、防虫剤商品を使用し始めた時の所定の色が経時的に変化する（例えば、徐々に退色及び／又は変色する）インジケーター紙を用いることができる。
【０００８】
しかしながら、防虫剤商品を入れたタンスや衣装ケース等を頻繁に開けて前記防虫剤商品の防虫効果を確認することは、一般的に行われているとは考えにくく、むしろ、防虫剤商品をタンスや衣装ケース等に入れた時期や防虫剤商品をタンスや衣装ケース等に入れた行為そのものを忘れていることの方が多いと思われる。
【０００９】
ところで、最近の情報産業の発展に伴い、各個人が、インターネットに接続可能な情報端末機器（例えば、携帯電話やパーソナルコンピュータ）を１台以上所有することも珍しくない。このような現況において、これらの情報端末機器を利用し、前述のインジケーター紙などを用いる従来の防虫剤商品の期限管理方法とは全く異なる防虫剤商品の期限管理方法、すなわち、前記情報端末機器を介して、防虫剤商品を購入した消費者一人一人に防虫剤商品の取り替え（購入）を促すような情報を配信する方法が提案されている。
このような方法の例としては、予めインターネット上のサーバーに登録された消費者のメール（ｅ−メール）アドレス宛てに、予め定めた所定の月日に、衣替えの時期や衣類の大切さを訴えるメール（ｅ−メール）をサーバーが配信する方法がある（例えば、非特許文献１参照）。
【００１０】
【非特許文献１】
エステー化学，「秋の防虫剤拡販企画」，石鹸日用品新報（週刊），石鹸新報社，２００２年（平成１４年）７月１７日，第４６１１号，ｐ．４
【００１１】
【発明が解決しようとする課題】
しかしながら、消費者一人一人が購入し、使用し始めた又は使用する予定の日用消耗品（例えば、防虫剤など）は多種類にわたることが多く、日用消耗品の種類が異なればその有効期限〔使用し始めた時から、効果（例えば、防虫効果）が持続する期間〕も異なる。また１種類の日用消耗品（例えば、防虫剤）には通常複数の商品が存在し、そのうちの１商品を購入する場合であっても、購入する個数は１個の場合もあるし複数の場合もある。
例えば、防虫剤を例に取ると、消費者が同日に又は異なる日にわたって同一商品の防虫剤を複数個購入したとき、個々の防虫剤商品を使用する場所もまた複数である場合が多く、例えば、複数の使用場所にて異なる日に防虫剤商品の使用が始まるので、当然、各使用場所の防虫剤商品の有効期限は異なる。
【００１２】
それ故、例えば、非特許文献１における方法のように、所定の月日にｅ−メールなどを消費者（ｅ−メールアドレスを登録済み）宛てにサーバーが配信し、防虫剤商品の取り替え時期などに関する注意を促しても、消費者は、個々に異なる防虫剤商品の取り替え時期を各防虫剤商品ごとに正確に認識し且つその取り替えを適正に行う（例えば、個々の防虫剤商品を、その取り替え時期が大幅に経過するまでに取り替える）ことはできない。
【００１３】
防虫剤以外の種類の日用消耗品の場合、例えば、前記特許文献１の消耗品の交換時期通知システム及びその方法では、消費者はサーバ上の「ユーザ登録用データカード」を見ながら、自分で「交換タイミング（交換時期）」を入力する必要がある。また、前記「ユーザ登録用データカード」は、各消費者毎に予め作成されている必要がある。
それ故、前記「ユーザ登録用データカード」を持たない消費者は、特許文献１のシステム及びその方法を利用することはできない。
【００１４】
本発明は前記従来技術の問題点を解決するためのものであり、その目的とするところは、消費者一人一人が購入し特定のユーアールエル（ＵＲＬ）を有するインターネット上のサーバーに登録した夫々の日用消耗品（例えば、防虫剤商品）についての取り替え時期を、前記サーバーが、各商品毎に個別に管理し、所定の年月日に、インターネットに接続可能な情報端末機器を介して、夫々の日用消耗品の取り替え時期を含むサービス情報を、各商品毎に個別に消費者一人一人に自動的に通知する方法を提供することにある。
【００１５】
【課題を解決するための手段】
すなわち、第一発明の日用消耗品の取り替え時期通知方法は、消費者一人一人により購入された日用消耗品であって、インターネットに接続可能な情報端末機器を介して、特定のユーアールエル（ＵＲＬ）を有するインターネット上のサーバーに登録された１種類以上１商品以上１個以上の日用消耗品の夫々の取り替え時期を含むサービス情報を、前記情報端末機器を介して、前記サーバーが、前記消費者一人一人に夫々の前記日用消耗品に関して通知すべき所定の年月日に自動的に通知することを特徴とする。
本第二発明の日用消耗品の取り替え時期通知方法は、消費者一人一人により購入された日用消耗品であって、インターネットに接続可能な情報端末機器を介して、特定のユーアールエル（ＵＲＬ）を有するインターネット上のサーバーに登録された１種類以上１商品以上１個以上の日用消耗品の夫々の取り替え時期を含むサービス情報を、前記情報端末機器を介して、前記サーバーが、前記消費者一人一人に夫々の前記日用消耗品に関して通知すべき所定の年月日に自動的に通知する方法であって、
ｉ）前記サーバーが、前記消費者から前記情報端末機器を介して送信される、購入した前記日用消耗品についての使用開始年月日及び消費者のユーアールエルを含む送信情報を、前記消費者からのアクセス時に、自動的に記録する工程と、
ｉｉ）  前記サーバーが、記録された前記送信情報に基づいて、夫々の前記日用消耗品の有効期限を自動的に算出してその取り替え時期を求め、夫々の前記日用消耗品の取り替え時期を含む消費者一人一人についての消費者情報を自動的に作成し、自動的に登録する工程と、
ｉｉｉ）前記サーバーが、記録された前記消費者情報に基づいて、前記情報端末機器を介して、前記消費者一人一人に夫々の前記日用消耗品に関して通知すべき所定の年月日に、前記日用消耗品の取り替え時期を含むサービス情報を自動的に配信する工程、
とからなることを特徴とする。
【００１６】
前記日用消耗品の種類は、例えば、防虫剤、殺虫剤、消臭剤又は除湿剤であってよい。
また、前記情報端末機器は、例えば、携帯電話，ＰＨＳ，パーソナルコンピュータ，ＰＤＡ等であってよいが、携帯電話又はパーソナルコンピュータが使用し易い。
【００１７】
【発明の実施の形態】
本発明の方法において、特定のユーアールエル（ＵＲＬ）を有するインターネット上のサーバーは、既存のサーバー（例えば、各社がホームページ用に使用しているサーバー）を利用してもよいし、又は、専用のサーバー（日用消耗品の取り替え時期通知用に設けたサーバー）を新たに設けてもよい。
【００１８】
特定のユーアールエル（ＵＲＬ）を有するインターネット上のサーバーとして、ホームページを設けたサーバーを利用する場合を例として説明する。
前記ホームページ上には、例えば、日用消耗品の種類毎に専用のＵＲＬを設ける。具体的には、例えば、防虫剤、殺虫剤、消臭剤、除湿剤等のボタン（又は、特定の選択区画）を設け、消費者がホームページ上の前記ボタンをクリックした場合に、日用消耗品の種類に応じたＵＲＬ（これは、前記ホームページの下の階層に設けてもよいし、又は、他のサーバー上に設けてもよい）に移動することができるようにする。
【００１９】
日用消耗品の種類が防虫剤の場合を例として説明すると、例えば、防虫剤用ＵＲＬ（具体的には、例えば、前記ホームページの下の階層のページ）には、更に、防虫剤の各商品（各々、有効期限が異なる）毎のボタン（又は、特定の選択区画）を設ける。
消費者は、自分が購入した防虫剤商品のボタンを選択し、それにより移動するページにて、必要な登録手続をする（サーバーが自動的に登録する）。
【００２０】
以下、図面に基づいて、更に具体的に説明する。
図１に、本発明の実施の形態の一例を示す。本実施の形態は、特定のユーアールエル（ＵＲＬ）を有するインターネット上のサーバーが、日用消耗品として防虫剤、殺虫剤、消臭剤及び除湿剤の取り替え時期を管理している場合に関するものである。以下、消費者が購入した日用消耗品が防虫剤の場合について説明する。
【００２１】
本実施の形態は、４人の消費者に対して防虫剤の取り替え時期をサーバーが自動的に通知するサービスを行う場合の例である。なお、説明の都合上、４人の消費者（Ａさん、Ｂさん、Ｃさん及びＤさん）が各々同一の防虫剤商品（商品Ｅ，有効期限：使用開始日から６ヶ月）を購入し、異なる日にインターネット上の同一のサーバーに登録したものとする。また、登録した日から商品Ｅの使用が始まったものとする。
【００２２】
Ａさんは３月１日に、特定のユーアールエル（ＵＲＬ）を有するインターネット上のサーバー（具体的には、例えば、メーカーのホームページ）にパーソナルコンピュータ（例えば、自宅のパーソナルコンピュータ）を介してアクセスし、該ホームページ上に所定の様式で設けられた防虫剤用ＵＲＬのボタンをクリックし、防虫剤専用のページに移動した。
防虫剤専用のページには、防虫剤の各商品に対応するＵＲＬのボタンが設けられている。本例では、商品Ｅ（有効期限６ヶ月）用ＵＲＬ及び商品Ｆ（有効期限１２ヶ月）用ＵＲＬが設けられている。
【００２３】
Ａさんは商品Ｅ（有効期限６ヶ月）用ＵＲＬのボタンをクリックし、移動した商品Ｅ専用のページにて、記入欄の各項目をチェック又はポイントしたり、所定の記入欄に数字を記入するなどして、購入した防虫剤商品Ｅについての使用開始年月日（本例では３月１日；なお、実際に使用を始めた年月日でなく、使用を開始する予定の年月日であってもよい）及び消費者のユーアールエル（これは、例えば、消費者からのアクセス時に自動的に登録されるようにしてもよい）を含む情報（送信情報）を登録した。全ての送信情報は、この時点で、前記サーバーが自動的に記録する。
【００２４】
Ｂさんは３月２０日に携帯電話から、Ｃさんは４月１日にパーソナルコンピュータから、そしてＤさんは５月１日に携帯電話から、前述のＡさんと同様に同一サーバーにアクセスし、この際、Ａさんと同様の送信情報を前記サーバーが記録する。
【００２５】
前記サーバー（商品Ｅ専用のページを設けたサーバー）は、記録された前記送信情報に基づいて、防虫剤商品Ｅの有効期限を自動的に算出してその取り替え時期を求める。具体的には、Ａ〜Ｄさんについて、各々のアクセス日に６ヶ月を付加した日が取り替え時期（有効期限が切れる日）として自動的に算出される。すなわち、商品Ｅの取り替え時期は、Ａさんについては９月１日、Ｂさんについては９月２０日、Ｃさんについては１０月１日、そしてＤさんについては１１月１日である。また、前記サーバーは、防虫剤商品Ｅの取り替え時期を含む消費者一人一人についての消費者情報を自動的に作成し、自動的に登録する。
【００２６】
登録の６ヶ月後、前記サーバーは、前記消費者情報に基づいて、前記情報端末機器（携帯電話又はパーソナルコンピュータ）を介して、Ａさんには９月１日、Ｂさんには９月２０日、Ｃさんには１０月１日、そしてＤさんには１１月１日に、防虫剤商品Ｅの取り替え時期を含むサービス情報（例えば、前記の取り替え時期以外に、防虫剤の新商品に関する情報などの消費者に役立つ情報を含んでいてもよい）を自動的に配信する。
なお、必要であれば、前記サーバーは、前記サービス情報を配信する年月日の前の所定の年月日（例えば、取り替え期限の一週間前）に、まもなく防虫剤商品Ｅの取り替え期限が来る旨の情報を配信してもよい。また、前記サーバーは、前記サービス情報を配信する年月日の後の所定の年月日（例えば、取り替え期限の一週間後）に、既に防虫剤商品Ｅの取り替え期限が過ぎた旨の情報を配信してもよい。
【００２７】
以下、本発明の実施に当たり、使用し得るものや考慮すべき点などを、特に、日用消耗品が防虫剤である場合について述べる。
特定のユーアールエル（ＵＲＬ）を有するインターネット上のサーバーは、前述のように、既存のサーバー又は専用のサーバーを使用することができる。１つのサーバーにて全ての日用消耗品の取り替え時期を管理してもよいし、又は、例えば、日用消耗品の種類及びその種類に属する各商品毎に専用のサーバーを設けてもよいし、或いは、これらの方法を組み合わせてもよい。
【００２８】
１つのサーバーが全ての日用消耗品の取り替え時期を管理する方法は、既存のホームページをそのまま利用したい場合及び日用消耗品の取り替え時期管理要に専用に設けた１つのサーバーが一括管理したい場合、日用消耗品の種類，商品の数，登録した消費者の数が比較的少ない場合などに有用である。
【００２９】
日用消耗品の種類，商品の数，登録した消費者の数が多いか、又は当初少なかったが次第に多くなった場合は、日用消耗品の種類又は商品毎に、或いは特定種類の日用消耗品又は特定商品専用に、取り替え時期管理専用のサーバーを設けてもよい。
【００３０】
情報端末機器は、インターネットに接続可能なものであればよく、その種類は限定されないが、具体的には、例えば携帯電話やパーソナルコンピュータであってよい。前記携帯電話はインターネットに接続可能な全ての機種の携帯電話を含む。また前記パーソナルコンピュータもインターネットに接続可能な全ての機種のパーソナルコンピュータを含む。
【００３１】
消費者が前記情報端末機器をインターネットに接続する様式も適切に信号を送受信し得る様式であればよく、例えば、無線（ワイヤレス，通信衛星等）又は有線（モデム，ＩＳＤＮ，ＡＤＳＬ，ＣＴＶ，ラン，ＦＴＴＨ等）方式であってよい。
【００３２】
消費者からの送信情報は、例えば、日用消耗品が防虫剤の場合、防虫剤商品についての使用開始年月日及び消費者のユーアールエルを含む必要がある。各防虫剤商品に記載された名称（商品名）の近くに又は前記防虫剤商品の包装用紙に記載された名称の近くに、或いは各防虫剤商品の売り場に、所定のサーバーの特定のユーアールエル（ＵＲＬ）を記載しておくと、消費者にとって便利である。前記使用開始年月日は、実際に防虫剤商品を使用し始めた年月日でもよいし、又は、防虫剤商品を使用する予定の年月日でもよい。
前記消費者のＵＲＬは、通常、消費者が日常使用する情報端末機器のＵＲＬであるが、必要であれば、前記ＵＲＬに加えて、他の情報端末機器（例えば、前記消費者が複数の情報端末機器を使用している場合）のＵＲＬを前記サーバーに登録してもよい。
【００３３】
前記送信情報には、これらの必須の送信情報（送信項目）に加えて、消費者がサーバーに登録しておきたいと思う項目又は防虫剤のメーカーが消費者にサーバーに登録してほしいと思う項目が含まれてよい。これらの項目には、例えば、消費者の住所や氏名（氏名に代えて、例えばニックネームなどを用いても勿論よい）、前記住所の郵便番号、消費者の防虫剤に関する意見又は防虫剤のメーカーに対する要望等が含まれる。但し、近年、消費者側に個人情報の漏洩や流出を懸念する傾向があるので、防虫剤のメーカーが前記送信情報の種類を選択する場合には、この点を考慮する必要がある。前記送信情報は必要最小限の簡潔な情報であることが望ましい。
【００３４】
前記サーバーが、前記消費者宛てに所定の年月日に自動的に配信するサービス情報には、防虫剤の取り替え時期の外に、衣類を虫の食害から守る（防虫剤を管理する）上で消費者の役に立つ種々の情報や、防虫剤のメーカーから消費者に通知したい情報等が含まれてよい。前記サービス情報（具体的には、例えば期限切れ通知メール）に、例えば、消費者の自宅の近くの防虫剤販売店のユーアールエルを記載したり（消費者が住所又は郵便番号をサーバーに登録した場合）、又は、前記期限切れ通知メールから直接、消費者の自宅の近くの防虫剤販売店のユーアールエルにリンクさせたりすることができる。
【００３５】
消費者は、これらのサービス情報から、自分にとって必要な情報を取捨選択することができる。また、前記サービス情報には、文書による情報（視覚情報）以外に、例えば、音声による情報（音声情報）を含ませることができ、音声情報によれば、例えば、視覚に障害を持った消費者にも前記サービス情報を的確に伝えることができる。
【００３６】
以下、前記サービス情報の一例を示す。
「○田○子様へ
貴方がご使用になった防虫剤△△は、□年□月□日に期限切れを迎えます。
お早目に新しい△△とお取り替え下さい。
コタツカバーは納戸にございます。（＊１）
新しい△△のご購入には、以下のお近くの販売店をご利用下さい。（＊２）
（販売店のリスト）（＊３）」
【００３７】
＊１：防虫剤を用いた衣類の収納場所が登録されていれば（例えば、ホームページ上の前記送信情報の記入欄として「メモ」欄又は「備考」欄を設け、消費者になるべく記入してもらう）、サービス情報の中で衣類の収納場所を消費者に通知することができる。このようにすれば、たとえ消費者が衣類の収納場所を忘れていても、このサービス情報によって、消費者は前記収納場所を思い出すことができる。
＊２：消費者の住所の郵便番号が登録されていれば（例えば、前記＊１の場合と同様の方法を用いる）、消費者の住所の近くの販売店のリストをサービス情報として記載することができる。
＊３：販売店のリストの中に該販売店のユーアールエルを含ませ、該ユーアールエルにより（この部分をクリックすることにより）、例えば、前記販売店のホームページに自動的にリンクさせることができる。
【００３８】
前述の事柄以外に、一旦、インターネット上のサーバーに登録された消費者の情報をもとに、例えば、消費者に登録した商品の効果的又は正しい使用方法等を、登録の確認の意味でメールにて知らせることができる。また消費者とメールのやり取りを行なう中で、消費者に懸賞に応募する機会を与えたり、又は、消費者に景品を貰える機会を提供する（例えば、景品付きの販売促進期間を知らせる）ことができる。
【００３９】
【発明の効果】
本発明の日用消耗品（例えば、防虫剤）の取り替え時期通知方法によれば、使用中の個々の日用消耗品商品の有効期限が切れることを知らせる通知（日用消耗品の夫々の取り替え時期を含むサービス情報）を、例えばｅ−メールなどの形式で消費者一人一人に、サーバーが自動的に配信するので、消費者（前記日用消耗品商品の使用者）は、たとえ普段目にしない日用消耗品商品（例えば、タンスの奥の防虫剤商品）であっても、個々の日用消耗品商品について、その期限切れを確実に知ることができ、すなわち、日用消耗品商品に関する完全な個別管理が可能であり、日用消耗品商品の交換を適正に行い得るので、例えば、日用消耗品商品が防虫剤商品の場合、保存中の衣類などを害虫の食害から確実に守ることができる。
【００４０】
また、本発明の方法は、インターネットを利用する通知方法であるため、通知文書（画像などを含んでもよい）による確認（視覚的方法）に加えて、必要であれば音声による確認（例えば、実行すると音声にて所定事項を通知するファイルを配信する；聴覚的方法）を行うこともでき、例えば、視覚に障害を持った消費者にも、日用消耗品商品の期限切れを、視覚に障害を持った消費者が容易に理解し得る形態で、自動的に通知することが可能である。
更に、本発明の方法によれば、例えば、日用消耗品商品が防虫剤商品の場合、防虫剤商品の期限切れを確認するためのインジケーター等（防虫剤商品の期限切れ時に廃棄する）の、直接防虫効果に寄与しないものを防虫剤商品に付随させる必要はなく、防虫剤商品の生産におけるコストダウン，資源の節約及び環境付加の低減の点で有利である。
【図面の簡単な説明】
【図１】図１は、本発明の日用消耗品（特に、日用消耗品が防虫剤商品の場合）の取り替え時期通知方法の実施の形態の一例を示す説明図である。
【図１】
2004164403.tif 000003